(57)【特許請求の範囲】
【請求項１】
釣竿の穂先側先端に配置された釣糸を係止する釣糸係止具であって、
釣竿の竿体の穂先側先端に装着され側周面上に開口部を有する筒状体と、
前記筒状体の穂先側端面を閉塞するように配置され軸方向に貫通する貫通孔を有する釣糸係止部と、
前記筒状体内に配置され、前記釣糸係止部の貫通孔から前記筒状体開口部へ釣糸を案内する傾斜面を有する釣糸案内部材とを備えた、釣糸係止具。
【請求項２】
前記釣糸係止部は前記貫通孔内周面に回動自在に配置された球体を有している、請求項１に記載の釣糸係止具。
【請求項３】
釣竿の穂先側先端に配置された釣糸を係止する釣糸係止具であって、
釣竿の竿体の穂先側先端に装着され側周面上に開口部を有する筒状体と、
前記筒状体の穂先側端面を閉塞するように配置され軸方向に貫通する貫通孔を有する釣糸係止部とを備え、
前記釣糸係止部は前記貫通孔内周面に回動自在に配置された球体を有している、釣糸係止具。
【請求項４】
前記釣糸係止部は軸方向に貫通する貫通孔を有するセラミックリングである、請求項１に記載の釣糸係止具。
【請求項５】
前記釣糸係止部は前記筒状体と一体形成されている、請求項１に記載の釣糸係止具。
【発明の詳細な説明】
【０００１】
【発明の属する技術分野】
本発明は、釣竿の穂先側先端に設けられた釣糸を係止するための釣糸係止具に関する。
【０００２】
【従来の技術】
従来の釣竿は、竿体と竿体の穂先側先端に設けられた、例えば「ヘビ口」と呼ばれる毛糸状の釣糸係止具を有するものがある。この釣竿では、釣人は「ヘビ口」の先端に釣糸を係止して魚釣りを行う。釣糸の先端の仕掛けに魚がかかって釣糸が左右に振れまた回転すると、「ヘビ口」が釣糸と共に回転して、竿体に釣糸が絡みつくのを抑えている。
【０００３】
上述の「ヘビ口」と呼ばれる釣糸係止具では、魚が暴れて左右に釣糸が激しく振れた場合等において、釣糸が釣糸係止具に絡まってしまう場合も考えられる。そこで、先端に抜止部を有する金属製柱状部材を備えた釣糸係止具が知られている。この釣糸係止具では、柱状部材に釣糸を係止し、釣糸を滑らせて回転させて釣糸が釣糸係止具に絡みつくのを抑えている。
【０００４】
【発明が解決しようとする課題】
従来の金属製柱状部材を備えた釣糸係止具では、柱状部材に釣糸を結び付けて係止し魚釣りを行っていると、釣糸の結び方によっては釣糸がゆるんで柱状部材から外れてしまう恐れがある。一方で、釣糸がゆるまないように強力に釣糸を釣糸係止部に結び付けると、後に釣糸を釣糸係止具から外す際に面倒である。また、柱状部材に釣糸を係止するため、釣竿の径方向中心から微妙に変位した位置から釣糸が伸びることになり、これが糸絡みの一因となる。
【０００５】
本発明の課題は、釣糸の取付が容易で釣糸が絡みにくい釣糸係止具を提供することにある。
【０００８】
【課題を解決するための手段】
発明１にかかる釣糸係止具は、釣竿の穂先側先端に配置された釣糸を係止する釣糸係止具であって、釣竿の竿体の穂先側先端に装着され側周面上に開口部を有する筒状体と、筒状体の穂先側端面を閉塞するように配置され軸方向に貫通する貫通孔を有する釣糸係止部とを備えている。
また、筒状体内に配置され、釣糸係止部の貫通孔から筒状体の開口部へ釣糸を案内する傾斜面を有する釣糸案内部材をさらに備えている。
この釣糸係止具では以下の手順で釣糸を係止する。まず、釣糸係止部の貫通孔から釣糸を筒状体内に挿入し、筒状体の側周面上の開口部より釣糸を引き出す。ここで釣糸の先端を結んで結び目を形成し、釣糸を他端側（仕掛け側）に引き戻す。すると、釣糸の先端の結び目が釣糸係止部の貫通孔に引っかかり係止される。また、釣糸の係止を解除する際には、釣糸を再度先端側に押し戻してその先端を筒状部開口部より取り出して結び目を切り取れば足りる。
このように、この釣糸係止具では釣糸を容易に係止でき操作が容易である。さらに、釣糸が釣竿の径方向中心において係止されるので回転性能がさらに向上して糸絡みが有効に抑えられる。
この場合には、釣糸係止部の貫通孔から挿入された釣糸が釣糸案内部材の傾斜面に沿って筒状体の開口部に順次案内される。この結果、釣糸を容易に開口部から取り出すことができ操作がさらに容易になる。
【０００９】
発明２にかかる釣糸係止具は、発明１の釣糸係止具であって、釣糸係止部は貫通孔内周面に回動自在に配置された球体を有している。
【００１０】
この場合には、貫通孔内周面に配置された球体が釣糸の回転と共に回転し、釣糸の回転をさらに容易にして糸絡みを抑える。
発明３にかかる釣糸係止具は、釣竿の穂先側先端に配置された釣糸を係止する釣糸係止具であって、釣竿の竿体の穂先側先端に装着され側周面上に開口部を有する筒状体と、筒状体の穂先側端面を閉塞するように配置され軸方向に貫通する貫通孔を有する釣糸係止部とを備えている。
また、釣糸係止部は貫通孔内周面に回動自在に配置された球体を有している。
発明４にかかる釣糸係止具は、発明１の釣糸係止具であって、釣糸係止部は軸方向に貫通する貫通孔を有するセラミックリングである。
この場合には、釣糸係止部がセラミックリングからなり、釣糸との接触により摩耗損傷するのを抑えられ、耐久性が向上する。
【００１１】
発明５にかかる釣糸係止具は、発明１の釣糸係止具であって、釣糸係止部は筒状体と一体形成されている。
この場合には、釣糸係止部が筒状体と一体化しており、釣糸から釣糸係止部に穂先側方向に向かって大きな力が加わっても釣糸係止部が破損しにくい。
【００１２】
【発明の実施の形態】
［第１実施形態］
以下、本発明の第１実施形態について図面を参照しつつ説明する。
本発明の第１実施形態を採用した釣竿は、図１に示すように、竿体１と竿体１の竿元側に設けられたグリップ２と、竿体１の穂先側先端に固定された釣糸係止具１０とを有している。
【００１３】
竿体１は炭素繊維，ガラス繊維等の強化樹脂に合成樹脂を含浸させたプリプレグをマンドレルに巻回して焼成し成形して得たものであり、先端が細いテーパ状の筒状部材である。竿体１は複数の竿体を、例えば図１に示すように振出形式に連結して構成されている。また、グリップ２は、竿体１の竿元側にはめ込まれ、接着剤等で接着された蓋付き円筒型部材であり、例えば、ウレタンゴム等のゴム系弾性体，コルク材等の木材等を加工して製造したものである。
【００１４】
釣糸係止具１０は、図２に示すように、竿体１の穂先側先端に固定されたパイプ状の筒状体１１と、筒状体１１の穂先側端面開口を閉塞するように配置され軸方向に貫通した貫通孔１２ａを有する釣糸係止部１２と、貫通孔１２ａ内周面に配置された球体１３と、筒状体１１内に配置された釣糸案内部材１４とを有している。
【００１５】
筒状体１１は、竿元側開口より竿体１が挿入された状態で接着剤等によって竿体１の穂先側に固定されている、チタン，スチール，ステンレスまたはこれらの合金からなる金属製の筒状部材である。筒状体１１の側周面には筒状体１１内と外部とを連通する開口部１１ａが形成されている。
釣糸係止部１２は合成樹脂または金属等によって形成される。そして、軸方向に貫通した貫通孔１２ａが周方向中心に形成されている。そして図３に示すように、貫通孔１２ａの内周面の軸方向中心付近には径方向に等間隔に４つの球体１３が回動自在に配置される。具体的には、貫通孔１２ａ内周面に球体１３の直径より小径の開口径を有する窪部が形成され、球体１３が無理ばめ等によって回動自在に収納されている。
【００１６】
釣糸案内部材１４は、合成樹脂等からなり釣糸係止部１２の貫通孔１２ａから筒状体１１の開口部１１ａに向かって形成される傾斜面を有している。後述のように、貫通孔１２ａから筒状体１１内に挿入された釣糸Ｌの先端を開口部１１ａへと導くことになる。
この釣糸係止具１０では以下の手順で釣糸Ｌを係止する。
【００１７】
まず、釣糸係止部１２の貫通孔１２ａから釣糸Ｌを筒状体１１内に挿入する。挿入された釣糸Ｌの先端は釣糸案内部材１４の傾斜面に当たって開口部１１ａへと導かれ開口部１１ａから外部へ導出される。ここで開口部１１ａから導出された釣糸Ｌの先端を結んで結び目を形成し、その後、釣糸Ｌを他端側（仕掛け側）に引き戻す。すると、図２に示すように、釣糸Ｌの先端の結び目が釣糸係止部１２の貫通孔１２ａに引っかかり係止される。また、釣糸Ｌの係止を解除する際には、釣糸Ｌを再度先端側に押し戻してその先端を筒状部１１の開口部１１ａより取り出して結び目を切り取れば足りる。
【００１８】
このように、この釣糸係止具１０によれば釣糸Ｌを容易に係止でき操作が容易である。さらに、釣糸Ｌが釣糸係止部１２の周方向中心にある貫通孔１２ａに係止され釣竿の径方向中心において係止されるので、回転性能がさらに向上して糸絡みが有効に抑えられる。また、釣糸Ｌの回転時には球体１３が釣糸Ｌと共に回転するので釣糸Ｌの回転性能がさらに向上し、糸絡みがさらに有効に防止される。
【００１９】
［第２実施形態］
以下、本発明の第２実施形態について図面を参照しつつ説明する。
本発明の第２実施形態を採用した釣竿の釣糸係止具２０は、図４に示すように、竿体１の穂先側先端に固定されたパイプ状の筒状体２１と、筒状体２１の穂先側端面開口を閉塞するように配置され軸方向に貫通した貫通孔２２ａを有するセラミックリング（釣糸係止部）２２と、筒状体２１内に配置された釣糸案内部材２４とを有している。
【００２０】
筒状体２１は、竿元側開口より竿体１が挿入された状態で接着剤等によって竿体１の穂先側に固定されている、チタン，スチール，ステンレスまたはこれらの合金からなる金属製の筒状部材である。筒状体２１の側周面には筒状体２１内と外部とを連通する開口部２１ａが形成されている。
セラミックリング２２は中方向中心において軸方向に貫通した貫通孔２２ａを有する。貫通孔２２ａは釣糸Ｌが挿通可能な程度の内径を有し、貫通孔２２ａ内周面は滑らかな湾曲面となっている。また、釣糸案内部材２４は、合成樹脂等からなりセラミックリング２２の貫通孔２２ａから筒状体２１の開口部２１ａに向かって形成される傾斜面を有している。
【００２１】
なお、その他の構成は第１実施形態と同様である。
この釣糸係止具２０も、第１実施形態と同様の手順で釣糸Ｌを係止する。そして、釣糸Ｌを容易に係止でき操作が容易になる。
［第３実施形態］
以下、本発明の第３実施形態について図面を参照しつつ説明する。
【００２２】
本発明の第３実施形態を採用した釣竿の釣糸係止具３０は、図５に示すように、竿体１の穂先側先端に固定され穂先側端面が閉塞された蓋付円筒型の筒状体３１を有している。筒状体３１の穂先側面には周方向中心において軸方向に貫通する貫通孔３１ｂが形成されている。そして、貫通孔３１ｂには貫通孔３１ｂに連通する貫通孔を有するセラミックリング３２が固定され、さらに、筒状体３１内に配置された釣糸案内部材３４が配置されている。
【００２３】
筒状体３１は、竿元側開口より竿体１が挿入された状態で接着剤等によって竿体１の穂先側に固定されている、チタン，スチール，ステンレスまたはこれらの合金からなる金属製の筒状部材である。この筒状体３１の側周面には筒状体３１内と外部とを連通する開口部３１ａが形成されている。
セラミックリング３２は貫通孔部分がフランジ型に加工されており筒状体３１の貫通孔３１ｂにはめ込まれて固定される。また、釣糸案内部材３４は、合成樹脂等からなりセラミックリング３２の貫通孔から筒状体３１の開口部３１ａに向かって形成される傾斜面を有している。
【００２４】
なお、その他の構成は第１実施形態と同様である。
この釣糸係止具３０も、第１実施形態と同様の手順で釣糸Ｌを係止する。そして、釣糸Ｌを容易に係止でき操作が容易になる。また、釣糸Ｌの結び目が直接接触する筒状体３１の穂先側面をセラミックリング３２が覆っており、耐久性に優れる。
【００２５】
［他の実施形態］
（ａ）第１実施形態における球体は任意数配置可能である。
（ｂ）釣糸案内部材は任意に配置すれば足りる。
【００２６】
【発明の効果】
本発明によれば、釣糸の取付が容易で釣糸が絡みにくい釣糸係止具を提供できる。
【図面の簡単な説明】
【図１】本発明の第１実施形態を採用した釣竿の全体図。
【図２】図１の釣糸係止具１０の拡大断面図。
【図３】図２の正面図。
【図４】本発明の第２実施形態を採用した釣糸係止具２０の拡大断面図。
【図５】本発明の第３実施形態を採用した釣糸係止具３０の拡大断面図。
【符号の説明】
１  竿体
１０，２０，３０  釣糸係止具
１１，２１，３１  筒状体
１２  釣糸係止部
２２，３２  セラミックリング
１３  球体
１４，２４，３４  釣糸案内部材
Ｌ  釣糸
【図１】
0004249347.tif 000002
【図２】
0004249347.tif 000003
【図３】
0004249347.tif 000004
【図４】
0004249347.tif 000005
【図５】
0004249347.tif 000006